【手続補正書】
【提出日】平成26年11月28日(2014.11.28)
【手続補正１】
【補正対象書類名】特許請求の範囲
【補正対象項目名】全文
【補正方法】変更
【補正の内容】
【特許請求の範囲】
【請求項１】
物品であって、該物品は、
複数の繊維であって、ここで該複数の繊維の各々は、少なくとも約１μｍの最小断面寸法を有する、複数の繊維；および
該複数の繊維と関連づけて配置されて、粘着性構造物を形成し、その結果、該細長いナノ構造物の長さは、少なくとも２つの繊維に及ぶ、複数の細長いナノ構造物、
を含む、物品。
【請求項２】
物品であって、該物品は、
複数の繊維であって、ここで該複数の繊維の各々は、少なくとも約１μｍの最小断面寸法を有する、複数の繊維；および
該複数の繊維と関連づけて配置されて、粘着性構造物を形成し、その結果、該細長いナノ構造物のうちの少なくとも約５０％の長手方向軸は、いかなる隣接する繊維とも交差しない、複数の細長いナノ構造物、
を含む、物品。
【請求項３】
物品であって、該物品は、
複数の繊維であって、ここで該複数の繊維の各々は、少なくとも約１μｍの最小断面寸法を有し、該複数の繊維は、該最小断面寸法の平均を有する、複数の繊維；および
該複数の繊維と関連づけて配置されて、粘着性構造物を形成する複数の細長いナノ構造物であって、ここで該細長いナノ構造物のうちの少なくとも一部は、該複数の繊維の最小断面寸法の平均の少なくとも約５倍の長さを有する、複数の細長いナノ構造物、
を含む、物品。
【請求項４】
物品であって、該物品は、
複数の繊維であって、ここで該複数の繊維の各々は、少なくとも約１μｍの最小断面寸法を有する、複数の繊維；および
該複数の繊維と関連づけて配置されて、粘着性構造物を形成し、その結果、該細長いナノ構造物のうちの少なくとも約５０％の全ての末端は、いかなる隣接する繊維とも直接接触した状態にない、複数の細長いナノ構造物、
を含む、物品。
【請求項５】
物品であって、該物品は、
少なくとも約１μｍの最小断面寸法を有する第１の繊維；
少なくとも約１μｍの最小断面寸法および第２の長手方向軸を有する第２の繊維；ならびに
該第１の繊維と該第２の繊維との間に配置された細長いナノ構造物および／もしくは細長いナノ構造物の束であって、その結果、該細長いナノ構造物および／もしくは細長いナノ構造物のアセンブリは、該第１の繊維および該第２の繊維と接触した状態にある、細長いナノ構造物および／もしくは細長いナノ構造物の束、
を含む、物品。
【請求項６】
前記細長いナノ構造物のうちの少なくとも一部は、織る、巻き付ける、および／または曲げることによって、前記繊維のうちの少なくとも一部の間および／または周りに配置される、請求項１〜５のいずれか１項に記載の物品。
【請求項７】
前記細長いナノ構造物のうちの少なくとも一部は、前記繊維のうちの少なくとも一部の間に織られている、請求項６に記載の物品。
【請求項８】
前記ナノ構造物のうちの少なくとも一部の長手方向軸は、前記物品の端から端まで連続している、請求項１〜７のいずれか１項に記載の物品。
【請求項９】
前記繊維のうちの少なくとも一部の長手方向軸は、実質的に整列されている、請求項１〜８のいずれか１項に記載の物品。
【請求項１０】
前記繊維は、繊維のトウとして配置される、請求項１〜９のいずれか１項に記載の物品。
【請求項１１】
前記繊維は、織られている、請求項１〜１０のいずれか１項に記載の物品。
【請求項１２】
前記細長いナノ構造物は、細長いナノ構造物の複数のストリップとして配置される、請求項１〜１１のいずれか１項に記載の物品。
【請求項１３】
前記繊維は、炭素、Ａｌ２Ｏ３、ＳｉＯ２、ガラス、バサルト、セルロース物質、金属、および／もしくはポリマーを含む、請求項１〜１２のいずれか１項に記載の物品。
【請求項１４】
前記ナノ構造物は、ナノチューブ、ナノ繊維、および／もしくはナノワイヤを含む、請求項１〜１３のいずれか１項に記載の物品。
【請求項１５】
前記ナノ構造物は、炭素ベースのナノ構造物を含む、請求項１〜１４のいずれか１項に記載の物品。
【請求項１６】
前記炭素ベースのナノ構造物は、カーボンナノチューブ、カーボンナノ繊維、および／もしくはカーボンナノワイヤを含む、請求項１５に記載の物品。
【請求項１７】
前記細長いナノ構造物のうちの少なくとも約５０％は、少なくとも約１０：１のアスペクト比を有する、請求項１〜１６のいずれか１項に記載の物品。
【請求項１８】
前記繊維のうちの少なくとも約５０％は、少なくとも約１０：１のアスペクト比を有する、請求項１〜１７のいずれか１項に記載の物品。
【請求項１９】
前記細長いナノ構造物のうちの少なくとも一部の長手方向軸は、実質的に整列されている、請求項１〜１８のいずれか１項に記載の物品。
【請求項２０】
前記整列されている細長いナノ構造物の長手方向軸および前記隣り合って整列されている繊維の長手方向軸によって画定される最小角度は、約４５度〜約９０度の間である、請求項１〜１９のいずれか１項に記載の物品。
【請求項２１】
結合物質は、前記繊維の間、前記ナノ構造物の間、および／もしくは前記繊維と前記ナノ構造物との間に存在する、請求項１〜２０のいずれか１項に記載の物品。
【請求項２２】
前記結合物質は、モノマー、ポリマー、セラミック、および金属のうちの少なくとも１種を含む、請求項２１に記載の物品。
【請求項２３】
前記結合物質は、エポキシ、ポリウレタン、ポリビニルアルコール、およびシランのうちの少なくとも１種を含む、請求項２２に記載の物品。
【請求項２４】
前記細長いナノ構造物の長手方向軸は、実質的にまっすぐである、請求項１〜２３のいずれか１項に記載の物品。
【請求項２５】
前記細長いナノ構造物の長手方向軸は、曲がっている、および／もしくは湾曲している、請求項１〜２３のいずれか１項に記載の物品。
【請求項２６】
前記繊維の長手方向軸は、実質的にまっすぐである、請求項１〜２５のいずれか１項に記載の物品。
【請求項２７】
前記繊維の長手方向軸は、曲がっている、および／もしくは湾曲している、請求項１〜２５のいずれか１項に記載の物品。
【請求項２８】
前記細長いナノ構造物のうちの少なくとも約５０％は、前記長手方向軸の長さの大部分が、前記細長いナノ構造物が接触した状態にある前記繊維に対して接線方向にあるように配置された長手方向軸を含む、請求項１〜２７のいずれか１項に記載の物品。
【請求項２９】
前記細長いナノ構造物および／もしくは細長いナノ構造物の束は、前記第１の繊維および前記第２の繊維と直接接触した状態にある、請求項５に記載の物品。
【請求項３０】
前記細長いナノ構造物のうちの少なくとも１つの長手方向軸は、前記第１の繊維の長手方向軸に対して、および／もしくは前記第２の繊維の長手方向軸に対して実質的に平行である、請求項５および２９のいずれか１項に記載の物品。
【請求項３１】
前記第１の繊維の長手方向軸は、前記第２の繊維の長手方向軸に対して実質的に直交している、請求項５および２９〜３０のいずれか１項に記載の物品。
【請求項３２】
前記第１の繊維および前記第２の繊維は、織布もしくは不織布の一部である、請求項５および２９〜３１のいずれか１項に記載の物品。
【請求項３３】
物品を作製するための方法であって、該方法は、
複数の繊維および複数の細長いナノ構造物を互いと関連づけて、粘着性構造物を形成する工程、
を包含し、ここで：
該複数の繊維の各々は、少なくとも約１μｍの最小断面寸法を有し、
該複数の繊維は、該最小断面寸法の平均を有し、そして
該細長いナノ構造物のうちの少なくとも一部は、該複数の繊維の最小断面寸法の平均の少なくとも約５倍の長さを有する、方法。
【請求項３４】
物品を作製するための方法であって、該方法は、
複数の繊維および複数の細長いナノ構造物を互いと関連づけて、粘着性構造物を形成する工程
を包含し、ここで：
該複数の繊維の各々は、少なくとも約１μｍの最小断面寸法を有し、
該複数の細長いナノ構造物は、該複数の繊維の間に配置され、その結果、該細長いナノ構造物のうちの少なくとも約５０％の全ての末端が、いかなる隣接する繊維とも直接接触した状態にない、方法。
【請求項３５】
物品を作製するための方法であって、該方法は、
複数の繊維および複数の細長いナノ構造物を互いと関連づけて、粘着性構造物を形成する工程、
を包含し、ここで：
該複数の繊維の各々は、少なくとも約１μｍの最小断面寸法を有し、
該複数の細長いナノ構造物は、該複数の繊維との間に配置され、その結果、該細長いナノ構造物のうちの少なくとも約５０％の長手方向軸は、いかなる隣接する繊維とも交差しない、方法。
【請求項３６】
物品を作製するための方法であって、該方法は、
複数の繊維および複数の細長いナノ構造物を互いと関連づけて、粘着性構造物を形成する工程、
を包含し、ここで：
該複数の繊維の各々は、少なくとも約１μｍの最小断面寸法を有し、
該複数の細長いナノ構造物は、該複数の繊維の間に配置され、その結果、該細長いナノ構造物の長さは、少なくとも２つの繊維に及ぶ、方法。
【請求項３７】
前記細長いナノ構造物のうちの少なくとも一部は、織る、巻き付ける、および／または曲げることによって、前記繊維のうちの少なくとも一部の間および／または周りに配置される、請求項３３〜３６のいずれか１項に記載の方法。
【請求項３８】
前記細長いナノ構造物のうちの少なくとも一部は、前記繊維のうちの少なくとも一部の間に織られている、請求項３７に記載の方法。
【請求項３９】
前記ナノ構造物のうちの少なくとも一部の長手方向軸は、前記物品の端から端まで連続している、請求項３３〜３８のいずれか１項に記載の方法。
【請求項４０】
前記繊維のうちの少なくとも一部の長手方向軸は、実質的に整列されている、請求項３３〜３９のいずれか１項に記載の方法。
【請求項４１】
前記繊維は、繊維のトウとして配置される、請求項３３〜４０のいずれか１項に記載の方法。
【請求項４２】
前記繊維は、織られている、請求項３３〜４１のいずれか１項に記載の方法。
【請求項４３】
前記細長いナノ構造物は、細長いナノ構造物の複数のストリップとして配置される、請求項３３〜４２のいずれか１項に記載の方法。
【請求項４４】
前記繊維は、炭素、Ａｌ２Ｏ３、ＳｉＯ２、ガラス、バサルト、セルロース物質、金属、および／もしくはポリマーを含む、請求項３３〜４３のいずれか１項に記載の方法。
【請求項４５】
前記ナノ構造物は、ナノチューブ、ナノ繊維、および／もしくはナノワイヤを含む、請求項３３〜４４のいずれか１項に記載の方法。
【請求項４６】
前記ナノ構造物は、炭素ベースのナノ構造物を含む、請求項３３〜４５のいずれか１項に記載の方法。
【請求項４７】
前記炭素ベースのナノ構造物は、カーボンナノチューブ、カーボンナノ繊維、および／もしくはカーボンナノワイヤを含む、請求項４６に記載の方法。
【請求項４８】
前記細長いナノ構造物のうちの少なくとも約５０％は、少なくとも約１０：１のアスペクト比を有する、請求項３３〜４７のいずれか１項に記載の方法。
【請求項４９】
前記繊維のうちの少なくとも約５０％は、少なくとも約１０：１のアスペクト比を有する、請求項３３〜４８のいずれか１項に記載の方法。
【請求項５０】
前記細長いナノ構造物のうちの少なくとも一部の長手方向軸は、実質的に整列されている、請求項３３〜４９のいずれか１項に記載の方法。
【請求項５１】
前記整列されている細長いナノ構造物の長手方向軸および前記隣り合って整列されている繊維の長手方向軸によって画定される最小角度は、約４５度〜約９０度の間である、請求項３３〜５０のいずれか１項に記載の方法。
【請求項５２】
結合物質は、前記繊維の間、前記ナノ構造物の間、および／もしくは前記繊維と前記ナノ構造物との間に存在する、請求項３３〜５１のいずれか１項に記載の方法。
【請求項５３】
前記結合物質は、モノマー、ポリマー、セラミック、および金属のうちの少なくとも１種を含む、請求項５２に記載の方法。
【請求項５４】
前記結合物質は、エポキシ、ポリウレタン、ポリビニルアルコール、およびシランのうちの少なくとも１種を含む、請求項５３に記載の方法。
【請求項５５】
前記細長いナノ構造物の長手方向軸は、実質的にまっすぐである、請求項３３〜５４のいずれか１項に記載の方法。
【請求項５６】
前記細長いナノ構造物の長手方向軸は、曲がっている、および／もしくは湾曲している、請求項３３〜５４のいずれか１項に記載の方法。
【請求項５７】
前記繊維の長手方向軸は、実質的にまっすぐである、請求項３３〜５６のいずれか１項に記載の方法。
【請求項５８】
前記繊維の長手方向軸は、曲がっている、および／もしくは湾曲している、請求項３３〜５６のいずれか１項に記載の方法。
【請求項５９】
前記細長いナノ構造物のうちの少なくとも約５０％は、前記長手方向軸の長さの大部分が、前記細長いナノ構造物が接触した状態にある前記繊維に対して接線方向にあるように配置された長手方向軸を含む、請求項３３〜５８のいずれか１項に記載の方法。
【手続補正２】
【補正対象書類名】明細書
【補正対象項目名】００１５
【補正方法】変更
【補正の内容】
【００１５】
本発明の他の利点および新規な特徴は、添付の図面と関連して考慮した場合に、本発明の種々の非限定的実施形態の以下の詳細な説明から明らかになる。本明細書および参考として援用される文書が、矛盾するおよび／もしくは一致しない開示を含む場合には、本明細書が優先するものとする。
一実施形態において、例えば、以下の項目が提供される。
（項目１）
物品であって、該物品は、
複数の繊維であって、ここで該複数の繊維の各々は、少なくとも約１μｍの最小断面寸法を有し、該複数の繊維は、該最小断面寸法の平均を有する、複数の繊維；および
該複数の繊維と関連づけて配置されて、粘着性構造物を形成する複数の細長いナノ構造物であって、ここで該細長いナノ構造物のうちの少なくとも一部は、該複数の繊維の最小断面寸法の平均の少なくとも約５倍の長さを有する、複数の細長いナノ構造物、
を含む、物品。
（項目２）
物品であって、該物品は、
複数の繊維であって、ここで該複数の繊維の各々は、少なくとも約１μｍの最小断面寸法を有する、複数の繊維；および
該複数の繊維と関連づけて配置されて、粘着性構造物を形成し、その結果、該細長いナノ構造物のうちの少なくとも約５０％の全ての末端は、いかなる隣接する繊維とも直接接触した状態にない、複数の細長いナノ構造物、
を含む、物品。
（項目３）
物品であって、該物品は、
複数の繊維であって、ここで該複数の繊維の各々は、少なくとも約１μｍの最小断面寸法を有する、複数の繊維；および
該複数の繊維と関連づけて配置されて、粘着性構造物を形成し、その結果、該細長いナノ構造物のうちの少なくとも約５０％の長手方向の軸は、いかなる隣接する繊維とも交差しない、複数の細長いナノ構造物、
を含む、物品。
（項目４）
物品であって、該物品は、
複数の繊維であって、ここで該複数の繊維の各々は、少なくとも約１μｍの最小断面寸法を有する、複数の繊維；および
該複数の繊維と関連づけて配置されて、粘着性構造物を形成し、その結果、該細長いナノ構造物の長さは、少なくとも２つの繊維に及ぶ、複数の細長いナノ構造物、
を含む、物品。
（項目５）
物品であって、該物品は、
少なくとも約１μｍの最小断面寸法を有する第１の繊維；
少なくとも約１μｍの最小断面寸法および第２の長手方向軸を有する第２の繊維；ならびに
該第１の繊維と該第２の繊維との間に配置された細長いナノ構造物および／もしくは細長いナノ構造物の束であって、その結果、該細長いナノ構造物および／もしくは細長いナノ構造物のアセンブリは、該第１の繊維および該第２の繊維と接触した状態にある、細長いナノ構造物および／もしくは細長いナノ構造物の束、
を含む、物品。
（項目６）
物品を作製するための方法であって、該方法は、
複数の繊維および複数の細長いナノ構造物を互いと関連づけて、粘着性構造物を形成する工程、
を包含し、ここで：
該複数の繊維の各々は、少なくとも約１μｍの最小断面寸法を有し、
該複数の繊維は、該最小断面寸法の平均を有し、そして
該細長いナノ構造物のうちの少なくとも一部は、該複数の繊維の最小断面寸法の平均の少なくとも約５倍の長さを有する、方法。
（項目７）
物品を作製するための方法であって、該方法は、
複数の繊維および複数の細長いナノ構造物を互いと関連づけて、粘着性構造物を形成する工程
を包含し、ここで：
該複数の繊維の各々は、少なくとも約１μｍの最小断面寸法を有し、
該複数の細長いナノ構造物は、該複数の繊維の間に配置され、その結果、該細長いナノ構造物のうちの少なくとも約５０％の全ての末端が、いかなる隣接する繊維とも直接接触した状態にない、方法。
（項目８）
物品を作製するための方法であって、該方法は、
複数の繊維および複数の細長いナノ構造物を互いと関連づけて、粘着性構造物を形成する工程、
を包含し、ここで：
該複数の繊維の各々は、少なくとも約１μｍの最小断面寸法を有し、
該複数の細長いナノ構造物は、該複数の繊維との間に配置され、その結果、該細長いナノ構造物のうちの少なくとも約５０％の長手方向軸は、いかなる隣接する繊維とも交差しない、方法。
（項目９）
物品を作製するための方法であって、該方法は、
複数の繊維および複数の細長いナノ構造物を互いと関連づけて、粘着性構造物を形成する工程、
を包含し、ここで：
該複数の繊維の各々は、少なくとも約１μｍの最小断面寸法を有し、
該複数の細長いナノ構造物は、該複数の繊維の間に配置され、その結果、該細長いナノ構造物の長さは、少なくとも２つの繊維に及ぶ、方法。
（項目１０）
前記繊維は、繊維のトウとして配置される、前記項目のいずれか１項に記載の物品もしくは方法。
（項目１１）
前記繊維は、織られている、前記項目のいずれか１項に記載の物品もしくは方法。
（項目１２）
前記細長いナノ構造物は、細長いナノ構造物の複数のストリップとして配置される、前記項目のいずれか１項に記載の物品もしくは方法。
（項目１３）
前記繊維は、炭素、Ａｌ２Ｏ３、ＳｉＯ２、ガラス、バサルト、セルロース物質、金属、および／もしくはポリマーを含む、前記項目のいずれか１項に記載の物品もしくは方法。
（項目１４）
前記ナノ構造物は、ナノチューブ、ナノ繊維、および／もしくはナノワイヤを含む、前記項目のいずれか１項に記載の物品もしくは方法。
（項目１５）
前記ナノ構造物は、炭素ベースのナノ構造物を含む、前記項目のいずれか１項に記載の物品もしくは方法。
（項目１６）
前記炭素ベースのナノ構造物は、カーボンナノチューブ、カーボンナノ繊維、および／もしくはカーボンナノワイヤを含む、項目１５に記載の物品もしくは方法。
（項目１７）
前記細長いナノ構造物のうちの少なくとも約５０％は、少なくとも約１０：１のアスペクト比を有する、前記項目のいずれか１項に記載の物品もしくは方法。
（項目１８）
前記繊維のうちの少なくとも約５０％は、少なくとも約１０：１のアスペクト比を有する、前記項目のいずれか１項に記載の物品もしくは方法。
（項目１９）
前記細長いナノ構造物のうちの少なくとも一部の長手方向軸は、実質的に整列されている、前記項目のいずれか１項に記載の物品もしくは方法。
（項目２０）
前記繊維のうちの少なくとも一部の長手方向軸は、実質的に整列されている、前記項目のいずれかに記載の物品もしくは方法。
（項目２１）
前記整列されている細長いナノ構造物の長手方向軸および前記隣り合って整列されている繊維の長手方向軸によって画定される最小角度は、約４５度〜約９０度の間である、前記項目のいずれか１項に記載の物品もしくは方法。
（項目２２）
結合物質は、前記繊維の間、前記ナノ構造物の間、および／もしくは前記繊維と前記ナノ構造物との間に存在する、前記項目のいずれか１項に記載の物品もしくは方法。
（項目２３）
前記結合物質は、モノマー、ポリマー、セラミック、および金属のうちの少なくとも１種を含む、項目２２に記載の物品もしくは方法。
（項目２４）
前記結合物質は、エポキシ、ポリウレタン、ポリビニルアルコール、およびシランのうちの少なくとも１種を含む、項目２３に記載の物品もしくは方法。
（項目２５）
前記細長いナノ構造物の長手方向軸は、実質的にまっすぐである、前記項目のいずれか１項に記載の物品もしくは方法。
（項目２６）
前記細長いナノ構造物の長手方向軸は、曲がっている、および／もしくは湾曲している、前記項目のいずれか１項に記載の物品もしくは方法。
（項目２７）
前記繊維の長手方向軸は、実質的にまっすぐである、前記項目のいずれか１項に記載の物品もしくは方法。
（項目２８）
前記繊維の長手方向軸は、曲がっている、および／もしくは湾曲している、前記項目のいずれか１項に記載の物品もしくは方法。
（項目２９）
前記細長いナノ構造物のうちの少なくとも約５０％は、前記長手方向軸の長さの大部分が、前記細長いナノ構造物が接触した状態にある前記繊維に対して接線方向にあるように配置された長手方向軸を含む、前記項目のいずれか１項に記載の物品もしくは方法。
（項目３０）
前記細長いナノ構造物および／もしくは細長いナノ構造物の束は、前記第１の繊維および前記第２の繊維と直接接触した状態にある、項目５に記載の物品。
（項目３１）
前記細長いナノ構造物のうちの少なくとも１つの長手方向軸は、前記第１の繊維の長手方向軸に対して、および／もしくは前記第２の繊維の長手方向軸に対して実質的に平行である、項目５および３０のいずれか１項に記載の物品。
（項目３２）
前記第１の繊維の長手方向軸は、前記第２の繊維の長手方向軸に対して実質的に直交している、項目５および３０〜３１のいずれか１項に記載の物品。
（項目３３）
前記第１の繊維および前記第２の繊維は、織布もしくは不織布の一部である、項目５および３０〜３２のいずれか１項に記載の物品。